【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
ワイヤレスユーザ装備装置（１０２）によるネットワーク選択を加速する方法であって、該方法は、
サテライトベースのポジショニングシステムリピーターから、修正されたデータチャネルを含むビーコン信号を受信すること（１２０４）であって、該修正されたデータチャネルは、該ワイヤレスユーザ装備装置が配置されている位置において利用可能なネットワークに関する周波数データにより符号化されている、ことと、
該ワイヤレスユーザ装備装置（１０２）により該修正されたデータチャネルを復号すること（１２０６）により、該位置における選択的スキャニング（１２０６）のための適切な周波数データを決定することであって、それによって、ネットワークを探し出すための全帯域スキャンを回避する、ことと
を包含する、方法。
【請求項２】
前記修正されたデータチャネルは、ローカルワイヤレスキャリア情報をさらに含む、請求項１に記載のワイヤレスユーザ装備装置（１０２）によるネットワーク選択を加速する方法。
【請求項３】
前記選択的スキャニング（１２０６）は、初期スキャン手順およびバックグラウンドスキャン手順のうちの１つとして実行される、請求項１または請求項２に記載のワイヤレスユーザ装備装置（１０２）によるネットワーク選択を加速する方法。
【請求項４】
前記選択的スキャニング（１２０６）は、前記ワイヤレスユーザ装備装置（１０２）の始動のときに、または、該ワイヤレスユーザ装備装置（１０２）が以前に登録されていたネットワークの範囲領域を離れるときに、実行される、請求項１、請求項２、請求項３のいずれか一項に記載のワイヤレスユーザ装備装置（１０２）によるネットワーク選択を加速する方法。
【請求項５】
前記修正されたデータチャネルは、ワイヤレスローカルエリアネットワークのホットスポット情報をさらに含む、請求項１に記載のワイヤレスユーザ装備装置（１０２）によるネットワーク選択を加速する方法。
【請求項６】
前記選択的スキャニングは、ＩＥＥＥ８０２．１１ａ規格、ＩＥＥＥ８０２．１１ｂ規格、ＩＥＥＥ８０２．１１ｇ規格、ＨｉｐｅｒＬａｎ規格、ＨｉｐｅｒＬａｎ  ＩＩ規格、Ｗｉ−Ｍａｘ規格、ＯｐｅｎＡｉｒ規格およびＢｌｕｅｔｏｏｔｈ規格から選択されるワイヤレスローカルエリアネットワーク規格のうちの少なくとも１つに準拠した周波数帯域において実行される、請求項１に記載のワイヤレスユーザ装備装置（１０２）によるネットワーク選択を加速する方法。
【請求項７】
前記選択的スキャニングは、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｅｎｈａｎｃｅｄ  Ｄａｔａ  Ｒａｔｅｓ  ｆｏｒ  ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）Ｅｖｏｌｕｔｉｏｎ）ネットワーク、３ＧＰＰ（３ｒｄ  Ｇｅｎｅｒａｔｉｏｎ  Ｐａｒｔｎｅｒｓｈｉｐ  Ｐｒｏｊｅｃｔ）準拠ネットワーク、ＩＤＥＮ（Ｉｎｔｅｇｒａｔｅｄ  Ｄｉｇｉｔａｌ  Ｅｎｈａｎｃｅｄ  Ｎｅｔｗｏｒｋ）、ＣＤＭＡ（Ｃｏｄｅ  Ｄｉｖｉｓｉｏｎ  Ｍｕｌｔｉｐｌｅ  Ａｃｃｅｓｓ）ネットワーク、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）ネットワーク、ＴＤＭＡ（Ｔｉｍｅ  Ｄｉｖｉｓｉｏｎ  Ｍｕｌｔｉｐｌｅ  Ａｃｃｅｓｓ）ネットワークのうちの少なくとも１つに準拠した周波数帯域において実行される、請求項１に記載のワイヤレスユーザ装備装置（１０２）によるネットワーク選択を加速する方法。
【請求項８】
ネットワーク選択を加速するように動作可能なワイヤレスユーザ装備装置（１０２）であって、
該ワイヤレスユーザ装備装置（１０２）は、
サテライトベースのポジショニングシステムリピーターから、修正されたデータチャネルを含むビーコン信号を受信する（１２０４）手段であって、該修正されたデータチャネルは、該ワイヤレスユーザ装備装置が配置されている位置において利用可能なネットワークに関する周波数データにより符号化されている、手段と、
該サテライトベースのポジショニングシステムリピーターから受信された該修正されたデータチャネルを復号すること（１２０６）により、該位置における選択的スキャニングのための適切な周波数データを決定する手段であって、それによって、該位置においてネットワークを探し出すための全帯域スキャンを回避する、手段と
を備える、ワイヤレスユーザ装備装置（１０２）。
【請求項９】
前記修正されたデータチャネルは、ローカルワイヤレスキャリア情報をさらに含む、請求項８に記載のワイヤレスユーザ装備装置（１０２）。
【請求項１０】
前記修正されたデータチャネルは、ワイヤレスローカルエリアネットワークのホットスポット情報をさらに含む、請求項８に記載のワイヤレスユーザ装備装置（１０２）。
【請求項１１】
ワイヤレスユーザ装備装置（１０２）によるネットワーク選択を加速する方法であって、該方法は、サテライトベースのポジショニングシステムリピーターから、修正されたデータチャネルを含むビーコン信号を提供すること（１２０２）であって、該修正されたデータチャネルは、該ワイヤレスユーザ装備装置が配置されている位置において利用可能なネットワークに関する周波数データを含む、ことを包含する、方法。
【請求項１２】
ワイヤレスユーザ装備装置（１０２）によるネットワーク選択を加速するサテライトベースのポジショニングシステムリピーター（１１０４）であって、該リピーターは、修正されたデータチャネルを含むビーコン信号を提供する手段（１１１０）であって、該修正されたデータチャネルは、該ワイヤレスユーザ装備装置が配置されている位置において利用可能なネットワークに関する周波数データを含む、手段を備える、リピーター。
【請求項１３】
ワイヤレスＵＥ装置（１０２）によるネットワーク選択を加速する方法であって、該方法は、
複数のコーナーによって規定される領域内に該ワイヤレスＵＥ装置の位置があるかどうかを決定すること（１００４）であって、各コーナーは、経度座標および緯度座標として規定され、該ワイヤレスＵＥ装置の位置は、サテライトベースのポジショニングシステムを使用することによって決定される（１００２）、ことと、
該ワイヤレスＵＥ装置の位置が特定の領域内にあると決定すること（１００４）に基づいて、該ワイヤレスＵＥ装置（１０２）による選択的スキャニング（１００６）のための適切な周波数データのサブセットを適用すること（１００６）であって、それによって、ネットワークを探し出すための全帯域スキャンを回避する、ことと
を包含する、方法。
【請求項１４】
前記選択的スキャニング（１００６）は、初期スキャン手順およびバックグラウンドスキャン手順のうちの１つとして実行される、請求項１３に記載のワイヤレスＵＥ装置（１０２）によるネットワーク選択を加速する方法。
【請求項１５】
前記選択的スキャニング（１００６）は、前記ワイヤレスＵＥ装置（１０２）の始動のときに、または、該ワイヤレスＵＥ装置（１０２）が以前に登録されていたネットワークの範囲領域を離れるときに、実行される、請求項１３または請求項１４に記載のワイヤレスＵＥ装置（１０２）によるネットワーク選択を加速する方法。
【請求項１６】
選択的スキャニング（１００６）を介して前記ワイヤレスＵＥ装置（１０２）によって複数のネットワークが探し出される場合、サービスに対して特定のネットワークを選択するための優先順位スキームを適用することをさらに包含する、請求項１３、請求項１４、請求項１５のいずれか一項に記載のワイヤレスＵＥ装置（１０２）によるネットワーク選択を加速する方法。
【請求項１７】
選択的スキャニング（１００６）を介して前記ワイヤレスＵＥ装置（１０２）によって複数のネットワークが探し出される場合、サービスに対して特定のネットワークを手動で選択することをさらに包含する、請求項１３、請求項１４、請求項１５のいずれか一項に記載のワイヤレスＵＥ装置（１０２）によるネットワーク選択を加速する方法。
【請求項１８】
ワイヤレスユーザ装備（ＵＥ）装置（１０２）によるネットワーク選択を加速するシステムであって、該システムは、
複数のコーナーによって規定される領域内に該ワイヤレスＵＥ装置の位置があるかどうかを決定する（１００４）手段であって、各コーナーは、経度座標および緯度座標として規定され、該ワイヤレスＵＥ装置の位置は、サテライトベースのポジショニングシステムを使用することによって、決定される（１００２）、手段と、
該ワイヤレスＵＥ装置の位置が特定の領域内にあると決定すること（１００４）に基づいて、該ワイヤレスＵＥ装置（１０２）による選択的スキャニング（１００６）のための適切な周波数データのサブセットを適用する（１００６）手段であって、それによって、ネットワークを探し出すための全帯域スキャンを回避する、手段と
を備える、システム。
【請求項１９】
前記選択的スキャニング（１００６）は、初期スキャン手順およびバックグラウンドスキャン手順のうちの１つとして実行される、請求項１８に記載のワイヤレスＵＥ装置（１０２）によるネットワーク選択を加速するシステム。
【請求項２０】
前記選択的スキャニング（１００６）は、前記ワイヤレスＵＥ装置（１０２）の始動のときに、または、該ワイヤレスＵＥ装置（１０２）が以前に登録されていたネットワークの範囲領域を離れるときに、実行される、請求項１８または請求項１９に記載のワイヤレスＵＥ装置（１０２）によるネットワーク選択を加速するシステム。
【請求項２１】
選択的スキャニング（１００６）を介して前記ワイヤレスＵＥ装置（１０２）によって複数のネットワークが探し出される場合、サービスに対して特定のネットワークの選択を容易にするための優先順位スキームを適用する手段をさらに備える、請求項１８、請求項１９、請求項２０のいずれか一項に記載のワイヤレスＵＥ装置（１０２）によるネットワーク選択を加速するシステム。
【請求項２２】
選択的スキャニング（１００６）を介して前記ワイヤレスＵＥ装置（１０２）によって複数のネットワークが探し出される場合、サービスに対して特定のネットワークを手動で選択する手段をさらに備える、請求項１８、請求項１９、請求項２０のいずれか一項に記載のワイヤレスＵＥ装置（１０２）によるネットワーク選択を加速するシステム。
【請求項２３】
ワイヤレスユーザ装備（ＵＥ）装置（１３００）であって、
該ワイヤレスＵＥ装置は、
複数のコーナーによって規定される領域内に該ワイヤレスＵＥ装置の位置があるかどうかを決定するロジック構造（１３３８、１３４８）であって、各コーナーは、経度座標および緯度座標として規定され、該ワイヤレスＵＥ装置の位置は、サテライトベースのポジショニングシステムを使用することによって、決定される、ロジック構造（１３３８、１３４８）と、
該ワイヤレスＵＥ装置の位置が特定の領域内にあると決定することに基づいて、該ワイヤレスＵＥ装置（１３００）による選択的スキャニングのための適切な周波数データのサブセットを選択するロジック構造（１３４０）と
を備える、ワイヤレスＵＥ装置（１３００）。
【請求項２４】
ワイヤレスユーザ装備（ＵＥ）装置（１０２）によるネットワーク選択を加速する方法であって、該方法は、
リピーターから該ワイヤレスＵＥ装置（１０２）へと、サテライトベースのポジショニングシステム（ＳＢＰＳ）に関連する修正されたデータチャネルを提供すること（１２０２）であって、該修正されたデータチャネルは、利用可能なネットワークに関する周波数データを含む、ことと、
該修正されたデータチャネルを受信する（１２０４）と、該ワイヤレスＵＥ装置（１０２）により該修正されたデータチャネルを復号すること（１２０６）により、選択的スキャニング（１２０６）のための適切な周波数データのサブセットを決定することであって、それによって、ネットワークを探し出すための全帯域スキャンを回避する、ことと
を包含する、方法。
【請求項２５】
前記修正されたデータチャネルは、ローカルワイヤレスキャリア情報をさらに含む、請求項２４に記載のワイヤレスＵＥ装置（１０２）によるネットワーク選択を加速する方法。
【請求項２６】
前記選択的スキャニング（１２０６）は、初期スキャン手順およびバックグラウンドスキャン手順のうちの１つとして実行される、請求項２４または請求項２５に記載のワイヤレスＵＥ装置（１０２）によるネットワーク選択を加速する方法。
【請求項２７】
前記選択的スキャニング（１２０６）は、前記ワイヤレスＵＥ装置（１０２）の始動のときに、または、該ワイヤレスＵＥ装置（１０２）が以前に登録されていたネットワークの範囲領域を離れるときに、実行される、請求項２４、請求項２５、請求項２６のいずれか一項に記載のワイヤレスＵＥ装置（１０２）によるネットワーク選択を加速する方法。
【請求項２８】
ネットワーク選択を加速するように動作可能なワイヤレスユーザ装備（ＵＥ）装置（１０２）であって、該ワイヤレスＵＥ装置は、
サテライトベースのポジショニングシステム（ＳＢＰＳ）リピーターから該ワイヤレスＵＥ装置（１０２）に同報通信された修正されたデータチャネルを復号する（１２０６）手段であって、該修正されたデータチャネルは、利用可能なネットワークに関する周波数データを含む、手段と、
該ワイヤレスＵＥ装置（１０２）による選択的スキャニング（１２０６）のための適切な周波数データのサブセットを決定する（１２０６）手段と
を備える、ワイヤレスＵＥ装置（１０２）。
【請求項２９】
ワイヤレス装置（１０２）に結合されるように動作可能である着脱可能記憶装置モジュール（ＲＳＭ）（２１４）であって、
該ＲＳＭは、
複数の地理的領域（９０２）を含むデータベース構造（９００）であって、該複数の地理的領域（９０２）の各々は、経度座標および緯度座標によって特定されるコーナーのセットを用いて識別され、該複数の地理的領域（９０２）の各々は、該ワイヤレス装置（１０２）にダウンロードされるように動作可能である対応する周波数データアイテム（９０４、９０６）に関連する、データベース構造（９００）と、
該ワイヤレス装置の位置を示す位置表示を受信したことに応答して、特定の周波数データアイテムを該ワイヤレス装置（１０２）にダウンロードするように動作可能なロジックアプリケーションであって、該特定の周波数データアイテムは、該ワイヤレス装置のスキャニング動作を変えるためのものであり、該特定のデータアイテムは、どの地理的領域に該ワイヤレス装置の位置が位置するかを決定することによって決定される、ロジックアプリケーションと
を備える、ＲＳＭ。
【請求項３０】
前記特定の周波数データアイテムは、周波数帯域と、特定の周波数チャネルと、前記ワイヤレス装置（１０２）によるスキャニングが可能な周波数の範囲（９０４）とのうちの１つを含む、請求項２９に記載のワイヤレス装置（１０２）に結合されるように動作可能なＲＳＭ（２１４）。
【請求項３１】
前記特定の周波数データアイテムは、周波数帯域と、特定の周波数チャネルと、前記ワイヤレス装置（１０２）によるスキャニングが禁止される周波数の範囲（９０６）とのうちの１つを含む、請求項２９に記載のワイヤレス装置に結合されるように動作可能なＲＳＭ（２１４）。